(57)【要約】      （修正有）【課題】地震などにも十分耐える既存の石材を積み上げた墓外柵のための補強材を提供する。【解決手段】左折返し面部４を連設し孔２ａ、２ｂを穿設した左面部２と、右折返し面部５を連設し孔３ａ，３ｂを穿設し前記左面部２と直角に連設する右面部３と、孔６ａを穿設し前記左右面部の下辺３ｄと垂直に連設する直角二等辺三角形状の底面部６からなる墓外柵用補強材１を墓外柵である背面壁、左面壁、土台壁にねじ止めする構成とした。【選択図】図１
2007002653.tif 000002
【特許請求の範囲】
【請求項１】
左折返し面部を連設し孔を穿設した左面部と、右折返し面部を連設し孔を穿設し前記左面部と直角に連設する右面部と、孔を穿設し前記左右面部の下辺と垂直に連設する直角二等辺三角形状の底面部からなる墓外柵用補強材。
【請求項２】
上下丸み部を備えた左右折返し面部とからなることを特徴とする請求項１に記載の墓外柵用補強材。
【請求項３】
丸み部を形成した左右折返し面部とからなることを特徴とする請求項１及び請求項２に記載の墓外柵用補強材。
【請求項４】
左辺に長方形状の左折返し面部を連設し中央に左孔を穿設した左面部と、右辺に長方形状の右折返し面部を連設し左辺に前記左面部を連設した中央に右孔が穿設された右面部と、前記左右面部の下辺に連設された直角二等辺三角形状の底面部とからなることを特徴とする請求項１、請求項２及び請求項３に記載の墓外柵用補強材。
【請求項５】
丸孔を穿設した左右面部とからなることを特徴とする請求項１に記載の墓外柵用補強材。
【請求項６】
丸孔を穿設した左右面部とからなることを特徴とする請求項４に記載の墓外柵用補強材。
【請求項７】
孔を穿設した左面部と、孔を穿設し前記左面部と直角に連設する右面部と、孔を穿設し前記左右面部の下辺と垂直に連設する直角二等辺三角形状の底面部からなる請求項１から請求項６に記載の墓外柵用補強材。
【請求項８】
左孔を穿設した左面部と、左辺に前記左面部を連設し右孔を穿設した右面部と、前記左右面部の下辺に連設された直角二等辺三角形状の底面部とからなることを特徴とする請求項１から請求項7に記載の墓外柵用補強材。
【発明の詳細な説明】
【技術分野】
【０００１】
本発明は、墓外柵を補強するための発明である。
【背景技術】
【０００２】
従来、墓用の外柵を構築するには、コンクリート等で基礎を打った後、墓用外柵を構成する複数種の石を重ねて外柵を作っていた。
【０００３】
しかしながら、従来の墓用の外柵は重量のある石材を積み上げて構成していたため、大きな地震などで崩れてしまった場合、とても危険なものであった。
【特許文献１】実開平２−３９０６４号公報
【発明の開示】
【発明が解決しようとする課題】
【０００４】
そこで、本発明は、墓用の外柵へ挿入型の補強材とすることで、外柵を簡単に補強することができ地震などにも十分耐えうる墓用外柵にすることができる墓外柵用補強材を提供することを目的とするものである。
【課題を解決するための手段】
【０００５】
本発明は、上記の課題を解決するために、左折返し面部４を連設し、左第１孔２ａ、左第２孔２ｂを穿設した左面部２と、右折返し面部５を連設し右第１孔３ａ、右第２孔３ｂを穿設し、前記左面部２と直角に連設する右面部３と、孔を穿設し前記左右面部２、３の下辺２ｄと垂直に連設する直角二等辺三角形状の底面部６からなる墓外柵用補強材１と、上下丸み部９ａ、９ｂ、１０ａ、１０ｂを形成した左右折返し面部９、１０とからなることを特徴とする墓外柵用補強材１ａと、丸み部１１ａ、１２ａを形成した左右折返し面部１１、１２とからなることを特徴とする墓外柵用補強材１ｂと、左辺に長方形状の左折返し面部１５を連設し中央に左孔１３ａを穿設した左面部１３と、右辺に長方形状の右折返し面部１６を連設し左辺に前記左面部１３を連設した中央に右孔１４ａが穿設された右面部１４と、前記左右面部１３、１４の下辺に連設された直角二等辺三角形状の底面部１７とからなることを特徴とする墓外柵用補強材1ｃと、丸孔２ｇ、２ｈ、３ｇ、３ｈを穿設した左右面部２、３とからなることを特徴とする墓外柵用補強材１ｄと、丸孔１３ｂ、１４ｂを穿設した左右面部１３、１４とからなることを特徴とする墓外柵用補強材１ｅと、孔２ｇ、２ｈを穿設した左面部２と、孔３ｇ、３ｈを穿設し前記左面部２と直角に連設する右面部３と、孔６ａを穿設し前記左右面部２、３の下辺２ｄ、３ｄと垂直に連設する直角二等辺三角形状の底面部６からなる墓外柵用補強材１ｆと、左孔１３ｂを穿設した左面部１３と、左辺に前記左面部１３を連設し右孔１４ｂを穿設した右面部１４と、前記左右面部１３、１４の下辺に連設された直角二等辺三角形状の底面部１７とからなる墓外柵用補強材１ｇの構成とした。
【発明の効果】
【０００６】
本発明の墓外柵用補強材は、外柵に挿入型の補強材としたため、既存の外柵に簡単に取り付けることができ、また任意にネジ止め固定も併用できる作りであるため外柵ごと取り替えずに外柵を補強することができる。
【発明を実施するための最良の形態】
【０００７】
無駄な出費をせず簡単に墓用外柵の耐震性を向上させることができるという目的を、挿入型の補強材とすることで実現した。
【実施例１】
【０００８】
図１は本発明である墓外柵用補強材の正面斜視図である。図１に示すように、本発明である墓外柵用補強材１は、左辺２ｅに左折返し面部４を連設した左面部２と、右辺３ｆに右折返し面部５を連設し前記左面部２の右辺２ｆと直角に連設された右面部３と、前記左面部２及び右面部３の下辺２ｄ、３ｄと垂直に連設された直角二等辺三角形状の底面部６とからなる。
【０００９】
前記左面部２は略楕円形状の左第１孔２ａ及び左第２孔２ｂが穿設され、前記右面部３には略楕円形状の右第１孔３ａ及び右第２孔３ｂが穿設されている。前記左右第１孔２ａ、３ａ及び左右第２孔２ｂ、３ｂは全て同形同大である。
【００１０】
また、前記左第１孔２ａ及び左第２孔２ｂは左面部２の上辺２ｃ及び下辺２ｄと平行に穿設され、同じく前記右第１孔３ａ及び右第２孔３ｂは右面部３の上辺３ｃ及び下辺３ｄと平行に穿設されている。
【００１１】
前記底面部６は直角二等辺三角形状をしており、中央部に孔６ａが穿設されている。底面部６の二等辺はそれぞれ前記左面部２の下辺２ｄ及び右面部３の下辺３ｄと垂直に連設されている。
【００１２】
前記左面部２の右辺２ｆに前記右面部３の左辺３ｅを連設して左右面部２、３を直角に連設し、前記左面部２の左辺２ｅに左折返し面部４を７０°から１３０°の角度で連設する。このとき、左折返し面部４は前記右面部３とは反対側に向けて接続する。また、前記右面部３の右辺３ｆに右折返し面部５を７０°から１３０°の角度で連設する。このとき、右折返し面部５は前記左面部２とは反対側に向けて接続する。即ち、左右面部２、３及び左右折返し面部４、５は略Ｗ字状に連設されている。
【００１３】
図２は本発明である墓外柵用補強材を使用した墓地の平面図、図３は本発明である墓外柵用補強材を使用した墓地の一部拡大図である。図２に示すように、墓地７は墓石８と墓石８を囲む壁からなる。本発明である墓外柵用補強材１は、墓地７を形成する壁に使用する部材で例えば背面壁７ａと左右面壁７ｂ、７ｃが直角に連設されて形成された角７ｅに取り付けて使用する。尚、この取付場所については、正面壁７ｄと左右面壁７ｂ、７ｃにより形成される角で使用してもよい。
【００１４】
図３に示すように、墓外柵用補強材１を取り付けるため背面壁７ａ、左面壁７ｂ及び土台壁７ｆには予め前記左右折返し面部４、５を挿入するための細長い孔を穿設し、その孔に左右折返し面部４、５を挿入して外柵を補強する。このとき、前記背面壁７ａと前記左右面壁７ｂ、７ｃを直角に連設させたことによって生じた角７ｅと、墓外柵用補強材１の前記左右面部２、３を直角に連設させた部分が重なっている。
【００１５】
このように、外柵を補強する際にネジ止めなどをすることなく外柵に直接差し込むことで補強が可能となっているため、作業が短時間で簡単に済ませることができる。また、左右面部２、３には孔が設けられているため、任意にネジ止めをすることも可能で、ネジ止めをした場合は更に強力に補強をすることができる。
【実施例２】
【００１６】
図４は、本発明である墓外柵用補強材の第２実施例の正面斜視図である。図４に示すように、墓外柵用補強材１ａは、実施例１の墓外柵用補強材１とほぼ同じ構造をしている。即ち、左右面部２、３に連設されている左右折返し面部９、１０の形状が違うだけである。
【００１７】
前記左折返し面部９の他の部材と連設されていない角は上下丸み部９ａ、９ｂを形成されて角が丸くなっている。同様に前記右折返し面部１０の他の部材と連設されていない角も上下丸み部１０ａ、１０ｂを形成され角が丸くなっている。
【００１８】
外柵に直接挿入する部分である前記左右折返し面部９、１０に上下丸み部９ａ、９ｂ、１０ａ、１０ｂを設けたことで、外柵に取り付け易くなり、更に作業が短時間で済むようになった。墓外柵用補強材１ａにおいても、左右面部２、３に孔が穿設されているため、挿入取付による補強とネジ止めによる補強を合わせて行うこともできる。
【実施例３】
【００１９】
図５は、本発明である墓外柵用補強材の第３実施例の正面斜視図である。図５に示すように、墓外柵用補強材１ｂは、実施例１の墓外柵用補強材１とほぼ同じ構造をしている。
即ち、左右面部２、３に連設されている左右折返し面部１１、１２の形状が違うだけである。
【００２０】
前記左折返し面部１１は略長方形状をしており、左面部２と連設されていない外方側の角のうち下方の角のみが丸み部１１ａを形成して角が丸くなっている。同様に前記右折返し面部１２も略長方形状をし、右面部３と連設されていない外方側の角のうち下方の角のみが丸み部１２ａを形成して角が丸くなっている。
【００２１】
外柵に直接挿入する部分である前記左右折返し面部１１、１２の外方側下角を丸み部１１ａ、１２ａとしたことで、外柵に取り付け易くなり、更に作業が短時間で済むようになった。墓外柵用補強材１ｂにおいても、左右面部２、３に孔が穿設されているため、挿入取付による補強とネジ止めによる補強を合わせて行うことができる。
【実施例４】
【００２２】
図６は、本発明である墓外柵用補強材の第４実施例の正面斜視図である。図６に示すように、墓外柵用補強材１ｃは、実施例１の墓外柵用補強材１とほぼ同じ構造をしている。
即ち、実施例１の墓外柵用補強材１を横半分に切断し、底面部６の中央部に穿設された孔６ａを設けていない。
【００２３】
図６に示すように、本発明である墓外柵用補強材１ｃは、左辺に左折返し面部１５を７０°から１３０°の角度で連接した左面部１３と、右辺に右折返し面部１６を７０°から１３０°の角度で連接し左辺は前記左面部１３と直角に連設された右面部１４と、前記左面部１３及び右面部１４の下辺と垂直に連設された直角二等辺三角形状の底面部１７とからなる。
【００２４】
図６に示すように、左右面部１３、１４及び左右折返し面部１５、１６は平面より見た場合、略Ｗ字状をしており左右対称である。
【００２５】
前記左面部１３は、ほぼ中央に略楕円形状の左孔１３ａが穿設され、前記右面部１４には、同じくほぼ中央に略楕円形状の右孔１４ａが穿設されている。前記左右孔１３ａ、１４ａは同形同大である。
【００２６】
墓外柵用補強材１ｃにおいては、前記墓外柵用補強材１、１ａ及び１ｂより半分の高さとなっているので、更に外柵に取り付け易くなり、作業も短時間で済むようになった。墓外柵用補強材１ｃにおいても、左右面部１３、１４に孔が穿設されているため、挿入取付による補強とネジ止めによる補強を合わせて行うこともできる。
【実施例５】
【００２７】
図７は本発明である墓外柵用補強材の第５実施例の正面斜視図である。図７に示すように、本発明である墓外柵用補強材１ｄは、実施例１の墓外柵用補強材１とほぼ同様の形状をしている。
【００２８】
即ち、本発明である墓外柵用補強材１ｄは、左辺２ｅに左折返し面部４をの角度で連設した左面部２と、右辺３ｆに右折返し面部５を連設し前記左面部２の右辺２ｆと直角に連設された右面部３と、前記左面部２及び右面部３の下辺２ｄ、３ｄと垂直に連設された直角二等辺三角形状の底面部６とからなる。
【００２９】
前記左面部２には左第１丸孔２ｇ及び左第２丸孔２ｈが穿設され、前記右面部３には右第１丸孔３ｇ及び右第２丸孔３ｈが穿設されている。前記左右第１丸孔２ｇ、３ｇ及び左右第２丸孔２ｈ、３ｈは全て同形同大である。
【００３０】
前記底面部６は直角二等辺三角形状をしており、中央部に孔６ａが穿設されている。底面部６の二等辺はそれぞれ前記左面部２の下辺２ｄ及び右面部３の下辺３ｄと垂直に連設されている。
【００３１】
前記左面部２の右辺２ｆに前記右面部３の左辺３ｅを連設して左右面部２、３を直角に連設し、前記左面部２の左辺２ｅに左折返し面部４を７０°から１３０°の角度で連設する。このとき、左折返し面部４は前記右面部３とは反対側に向けて接続する。また、前記右面部３の右辺３ｆに右折返し面部５を７０°から１３０°の角度で連設する。このとき、右折返し面部５は前記左面部２とは反対側に向けて接続する。即ち、左右面部２、３及び左右折返し面部４、５は略Ｗ字状に連設されている。
【実施例６】
【００３２】
図８は本発明である墓外柵用補強材の第６実施例の正面斜視図である。本発明である墓外柵用補強材１ｅは、実施例４に示した墓外柵用補強材１ｃとほぼ同様の形状をしている。
【００３３】
即ち、本発明である墓外柵用補強材１ｅは、左辺に左折返し面部１５を７０°から１３０°の角度で連接した左面部１３と、右辺に右折返し面部１６を７０°から１３０°の角度で連接し左辺は前記左面部１３と直角に連設された右面部１４と、前記左面部１３及び右面部１４の下辺と垂直に連設された直角二等辺三角形状の底面部１７とからなる。
【００３４】
図８に示すように、左右面部１３、１４及び左右折返し面部１５、１６は平面より見た場合、略Ｗ字状をしており左右対称である。
【００３５】
前記左面部１３には左丸孔１３ｂが穿設され、前記右面部１４には、右丸孔１４ｂが穿設されている。前記左右孔１３ｂ、１４ｂは同形同大である。
【実施例７】
【００３６】
図９は本発明である墓外柵用補強材の第７実施例の正面斜視図である。本発明である墓外柵用補強材１ｆは、実施例５に示した墓外柵用補強材１ｄの左右折返し面部４、５がない形状である。
【００３７】
即ち、本発明である墓外柵用補強材１ｆは、左第１及び第２丸孔２ｇ、２ｈを穿設した左面部２と、右第１及び第２丸孔３ｇ、３ｈを穿設し前記左面部２と直角に連設された右面部３と、前記左右面部２、３の下片２ｄ、３ｄと垂直に連設され中央に孔６ａを穿設した直角二等辺三角形状の底面部６とからなる。墓外柵用補強材１ｆは平面より見た場合略Ｖ字状をしている。
【実施例８】
【００３８】
図１０は本発明である墓外柵用補強材の第８実施例の正面斜視図である。本発明である墓外柵用補強材１ｇは、実施例６に示した墓外柵用補強材１ｅとほぼ同様の形状をしている。
【００３９】
即ち、本発明である墓外柵用補強材１ｇは、左丸孔１３ｂを穿設した左面部１３と、右丸孔１４ｂを穿設し前記左面部１３と直角に連設された右面部１４と、前記左右面部１３、１４と垂直に連設された直角二等辺三角形状の底面部１７とからなる。墓外柵用補強材１ｇは平面より見た場合略Ｖ字状をしている。
【図面の簡単な説明】
【００４０】
【図１】本発明である墓外柵用補強材の正面斜視図である。
【図２】本発明である墓外柵用補強材を使用した墓地の平面図である。
【図３】本発明である墓外柵用補強材を使用した墓地の一部拡大図である。
【図４】本発明である墓外柵用補強材の第２実施例の正面斜視図である。
【図５】本発明である墓外柵用補強材の第３実施例の正面斜視図である。
【図６】本発明である墓外柵用補強材の第４実施例の正面斜視図である。
【図７】本発明である墓外柵用補強材の第５実施例の正面斜視図である。
【図８】本発明である墓外柵用補強材の第６実施例の正面斜視図である。
【図９】本発明である墓外柵用補強材の第７実施例の正面斜視図である。
【図１０】本発明である墓外柵用補強材の第８実施例の正面斜視図である。
【符号の説明】
【００４１】
１      墓外柵用補強材
１ａ    墓外柵用補強材
１ｂ    墓外柵用補強材
１ｃ    墓外柵用補強材
１ｄ    墓外柵用補強材
１ｅ    墓外柵用補強材
１ｆ    墓外柵用補強材
１ｇ    墓外柵用補強材
２      左面部
２ａ    左第１孔
２ｂ    左第２孔
２ｃ    上辺
２ｄ    下辺
２ｅ    左辺
２ｆ    右辺
２ｇ    左第１丸孔
２ｈ    左第２丸孔
３      右面部
３ａ    右第１孔
３ｂ   
右第２孔
３ｃ    上辺
３ｄ    下辺
３ｅ    左辺
３ｆ    右辺
３ｇ    右第１丸孔
３ｈ    右第２丸孔
４      左折返し面部
５      右折返し面部
６      底面部
６ａ    孔
７      墓地
７ａ    背面壁
７ｂ    左面壁
７ｃ    右面壁
７ｄ    正面壁
７ｅ    角
７ｆ    土台壁
８      墓石
９      左折返し面部
９ａ    上丸み部
９ｂ    下丸み部
１０      右折返し面部
１０ａ    上丸み部
１０ｂ    下丸み部
１１      左折返し面部
１１ａ    丸み部
１２      右折返し面部
１２ａ    丸み部
１３      左面部
１３ａ    左孔
１３ａ    左丸孔
１４      右面部
１４ａ    右孔
１４ｂ    右丸孔
１５      左折返し面部
１６      右折返し面部
１７      底面部
【図１】
2007002653.tif 000003
【図２】
2007002653.tif 000004
【図３】
2007002653.tif 000005
【図４】
2007002653.tif 000006
【図５】
2007002653.tif 000007
【図６】
2007002653.tif 000008
【図７】
2007002653.tif 000009
【図８】
2007002653.tif 000010
【図９】
2007002653.tif 000011
【図１０】
2007002653.tif 000012